(57)【要約】【課題】本発明の目的は第１の表示部と第２の表示部とが背中合わせに結合されている両面表示タイプの液晶表示装置を薄型化することである。【解決手段】第１の表示部と第２の表示部とが背中合わせに結合されている液晶表示装置の第１の表示部と第２の表示部の光源を光学的に結合させた。具体的には第１の表示部にフロントライトを設け、該フロントライトの光及び該第１の表示部の前面から入射する外光が前記第２の表示部のバックライト光として機能するよう構成した。【選択図】　　　　図１
2004045727.tif 000002
【特許請求の範囲】
【請求項１】
２つの表示部を有し、第１の表示部と第２の表示部とが背中合わせの位置に配設される液晶表示装置に於いて、
前記第１の表示部と前記第２の表示部の光源が光学的に結合されていることを特徴とする液晶表示装置。
【請求項２】
前記第１の表示部は半透過反射膜を有する表示装置であり、前記第２の表示部は透過型表示装置であることを特徴とする請求項１に記載の液晶表示装置。
【請求項３】
前記第１の表示部を挟む如く第２の表示部とフロントライトを配設することにより、該フロントライトからの光及び該フロントライト側から入射する外光が該第１の表示部と該第２の表示部を透過することを特徴とする請求項１または請求項２に記載の液晶表示装置。
【請求項４】
前記第１の表示部と前記第２の表示部の間にバックライト装置を設け、該バックライト装置の光が前記第１と第２の両表示部のバックライトとして機能するよう構成したことを特徴とする請求項１または請求項２に記載の液晶表示装置。
【請求項５】
前記第１の表示部は白黒表示であり前記第２の表示部はカラー表示であることを特徴とする請求項１乃至４のいづれか１項に記載の液晶表示装置。
【請求項６】
前記液晶表示装置が折り畳み式の携帯装置の一方の枠体に収納されたことを特徴とする請求項１乃至５のいずれか１項に記載の液晶表示装置。
【請求項７】
２つの表示部を有し、第１の表示部と第２の表示部とが背中合わせの位置に配設される液晶表示装置に於いて、
前記第１の表示部は反射膜を有する反射型表示装置、前記第２の表示部は透過型表示装置であり、該第１の表示部と該第２の表示部の間にバックライト装置を設け、該第２の表示部を透過する光が該バックライトからの直接光と該第１の表示部の該反射膜により反射された光であることを特徴とする液晶表示装置。
【発明の詳細な説明】
【０００１】
【発明の属する技術分野】
本発明は２層の液晶表示装置に関し、特に第１の表示部と第２の表示部とが背中合わせの位置に配設されている両面表示タイプの液晶表示装置に関する。
【０００２】
【従来の技術】
近来蓋付きあるいは折り畳み式あるいは見開き型の携帯装置（例えば、携帯電話、携帯情報装置、位置確認装置）においては、図４に示すように、上枠体より成る上蓋１６２を閉じた状態ではＡ側から第１の表示部１００を、開いた状態ではＢ側から第２の表示部１０２を見ることが出来る液晶表示装置が用いられ始めている。
前記上蓋と称しているが、蓋としての機能を必ずしも有することはなく、折り畳み式の装置のヒンジに対して一方の側の枠体を上蓋と称しても、本発明では良い。
【０００３】
このような液晶表示装置は公開実用新案昭和５３−１２７５５０公報に述べられているような一方の側からのみのものとは異なる技術分野に属する。
【０００４】
このような液晶表示装置には従来図５に示すような構造が採用されていた。
【０００５】
図５において、１００が第１の表示部、１０２が第２の表示部で、プリント基板１６４の表裏にそれぞれ取り付けられている。
【０００６】
第１の表示部１００には一般的に反射型の白黒液晶表示装置が用いられており、表側透明基板１１０と裏側透明基板１１８をシール部１１２で封止し、封止部内が液晶層１１４となっている。裏側透明基板１１８の液晶層側には反射膜１１６が設けられ、表側透明基板１１０の表側には偏光板１０８が設けられている。また図示は省略してあるが表側透明基板１１０の液晶層側には透明電極が、裏側透明基板１１８の液晶層側には、ＳＴＮタイプの液晶装置の場合にはストライプ状の透明電極が、ＴＦＴ、ＭｉＭ、ＤＴＦ及びダイオードタイプのアクティブ方式のの液晶装置の場合には能動素子と表示用電極が設けられている。
【０００７】
第２の表示部１０２には一般的に透過型のカラー液晶表示装置が用いられており、表側透明基板１３０と裏側透明基板１２２をシール部１２４で封止し、封止部内が液晶層１２８となっている。裏側透明基板の液晶層側にはカラーフィルター１２６が設けられ、表側透明基板１３０の表側と裏側透明基板１２２の裏側には偏光板１３２，１２０がそれぞれ設けられている。また図示は省略してあるが表側透明基板１３０の液晶層側には透明電極が、裏側透明基板１２２の液晶層側には、ＳＴＮタイプの液晶装置の場合にはストライプ状の透明電極が、アクティブタイプの液晶装置の場合には能動素子と表示用電極が設けられていることは第１の表示部１００と同様である。裏側透明基板１２２とプリント基板１６４との間にはバックライト装置１６６が置かれている。
【０００８】
図５の液晶表示装置においては、第１の表示部１００に入射した外光１６８は偏光板１０８、液晶層１１４等を透過した後反射膜１１６で反射され再度液晶層１１４、偏光板１０８を透過して視認される。第２の表示部１０２にはバックライト装置１６６の出射光１７２が偏光板１２０，カラーフィルター１２６，液晶層１２８，偏光板１３２等を透過して視認される。
【０００９】
すなわち、図４の上蓋１６２を閉じた状態ではＡ側から反射型である第１の表示部１００を、上蓋を開いた状態ではバックライト装置１６６が自動的に点灯し、Ｂ側から透過型カラータイプの第２の表示部１０２を見ることが出来る。
【００１０】
このような液晶表示装置では、携帯装置として利用、小型と低消費電力が要求されるが、従来技術では、まだ十分な小型化が得られていないとの問題を有する。特に折り畳み式の装置では、厚みが厚くなってしまうので、厚さをより薄くすることが要求されている。図５のタイプではプリント基板１６４を用いているため薄型化が困難で、そのため図４の上蓋１６２も薄型化出来ないという問題があった。
【００１１】
【発明が解決しようとする課題】
以上説明したように従来の両面表示タイプ液晶表示装置には薄型化が十分に得られていないという問題があった。
【００１２】
本発明の目的は、より薄型化が可能な両面表示タイプの液晶表示装置を提供することである。
【００１３】
【課題を解決するための手段】
上記課題を解決するため本発明は、２つの表示部を有し、第１の表示部と第２の表示部とが背中合わせの位置に配設される液晶表示装置に於いて、前記第１の表示部と前記第２の表示部の光源が光学的に結合されていることを特徴とする。また、前記第１の表示部は半透過反射膜を有する表示装置であり、前記第２の表示部は透過型表示装置であることを特徴とする。
また、前記第１の表示部を挟む如く第２の表示部とフロントライトを配設することにより、該フロントライトからの光及び該フロントライト側から入射する外光が該第１の表示部と該第２の表示部を透過することを特徴とする。
また、前記第１の表示部と前記第２の表示部の間にバックライト装置を設け、該バックライト装置の光が前記第１と第２の両表示部のバックライトとして機能するよう構成したことを特徴とする。
また、前記第１の表示部は白黒表示であり前記第２の表示部はカラー表示であることを特徴とする。
また、前記液晶表示装置が折り畳み式の携帯装置の一方の枠体に収納されたことを特徴とする。
【００１４】
さらに、上記課題を解決するため本発明は、２つの表示部を有し、第１の表示部と第２の表示部とが背中合わせの位置に配設される液晶表示装置に於いて、前記第１の表示部は反射膜を有する反射型表示装置、前記第２の表示部は透過型表示装置であり、該第１の表示部と該第２の表示部の間にバックライト装置を設け、該第２の表示部を透過する光が該バックライトからの直接光と該第１の表示部の該反射膜により反射された光であることを特徴とする。
【００１５】
【発明の実施の形態】
本発明による両面表示タイプの液晶表示装置を図１〜３を用いて説明する。
【００１６】
【実施例】
図１は本発明による液晶表示装置の実施例で、１００が第１の表示部、１０２が第２の表示部、光源１３４と導光板１０６で構成されているのがフロントライト１０４である。
【００１７】
第１の表示部１００は反射型の白黒液晶表示装置で、表側透明基板１１０と裏側透明基板１１８をシール部１１２で封止し、封止部内が液晶層１１４となっている。裏側透明基板１１８の液晶層側には半透過反射膜１１７が設けられ、表側透明基板１１０の表側には偏光板１０８が設けられている。
半透過反射膜は、入射光の一部を反射し、入射光の一部を透過するところの透過と反射の機能を有する膜或いは層或いは板状に形成されたものよりなる。その半透過膜の構成は、反射膜を薄したもの、反射膜の一部を切り欠き光を透過するようにしたもの、屈折率の異なる膜を多層とした多層膜を用いたもの等で構成される。
また図示は省略してあるが表側透明基板１１０の液晶層側には透明電極が、裏側透明基板１１８の液晶層側には、ＳＴＮタイプの液晶の場合には透明電極が、ＴＦＴタイプの液晶の場合は能動素子と表示用電極が設けられている。さらに表側透明基板１１０の表側にはフロントライト１０４が設けられている。
【００１８】
第２の表示部１０２は透過型のカラー液晶表示装置で、表側透明基板１３０と裏側透明基板１２２をシール部１２４で封止し、封止部内が液晶層１２８となっている。裏側透明基板の液晶層側にはカラーフィルター１２６が設けられ、表側透明基板１３０の表側と裏側透明基板１２２の裏側にはには偏光板１３２，１２０がそれぞれ設けられている。また図示は省略してあるが表側透明基板１３０の液晶層側には透明電極が、裏側透明基板１２２の液晶層側には、ＳＴＮタイプの液晶装置の場合にはストライプ状の透明電極が、アクティブタイプの液晶装置の場合は能動素子と表示用電極が設けられていることは第１の表示部１００と同様である。
【００１９】
図５の従来構成と図１の構成の違いは、図１において用いられていたプリント基板１６４とバックライト装置１６６を除去して第１と第２の表示部１００，１０２を近接させたことと、反射膜１１６を半透過反射膜１１７に置き換えたことと、フロントライト１０４を設けた点である。
【００２０】
フロントライト１０４自体の開示としては特開平１１−１０９３４４公報、特開平１１−１０９３４５公報に詳述されている。
【００２１】
図１のように構成することにより、第１の表示部１００に入射した外光１３６は偏光板１０８、液晶層１１４等を透過したのち半透過反射膜１１７で反射率に従って反射され再度液晶層１１４、偏光板１０８を透過して視認される。環境が暗い場合はフロントライト１０４を点灯させるとフロントライト１０４の出射光１４２が偏光板１０８，液晶層１１４等を透過したのち半透過反射膜１１７で半透過反射膜の反射率に従って反射され再度液晶層１１４、偏光板１０８を透過して視認される。このように第１の表示部は反射型液晶表示装置として機能する。
【００２２】
第２の表示部１０２は透過型カラータイプ液晶表示装置であるが、外光１４０が第１の表示部１００の偏光板１０８、液晶層１１４等を透過したのち半透過反射膜１１７の透過率に従って透過され第２の表示部１０２の裏面に達してバックライト光となる。またフロントライト１０４を点灯させるとフロントライト１０４の出射光１４２が第１の表示部１００の偏光板１０８，液晶層１１４等を透過したのち半透過反射膜１１７の透過率に従って透過され第２の表示部１０２の裏面に達してバックライト光となる。これらバックライト光１４８，１４６が第２の表示部１０２の偏光板１２０，カラーフィルター１２６，液晶層１２８，偏光板１３２等を透過して視認される。
【００２３】
すなわち、図４の上蓋１６２を閉じた状態ではＡ側から反射型である第１の表示部１００を、開いた状態では外光１４０もしくはフロントライト光１４２を光源として、Ｂ側から透過型カラータイプの第２の表示部１０２を見ることが出来る。
【００２４】
このように図１の構成においては第１と第２の表示部１００，１０２の光源を光学的に結合させることにより、図５におけるプリント基板１６４，バックライト装置１６６を除去することが出来ており、その結果非常に薄型の両面表示タイプ液晶表示装置が実現出来た。
【００２５】
なお図１の構成においては第１の表示部１００の裏側透明基板１１８と第２の表示部１０２の裏側透明基板１２２を共通の基板とすることも可能で、その場合はさらなる薄型化が得られる。
【００２６】
図２は本発明の他の実施例で図１と同様の機能の部材には同じ番号を付してある。　図２の構成が図１の構成と異なるのは、図１のフロントライト１０４の代わりに、第１の表示部１００と第２の表示部１０２の間にバックライト装置１５０を設けた点である。
【００２７】
図２において、第１の表示部１００に入射した外光１３６は偏光板１０８、液晶層１１４等を透過したのち半透過反射膜１１７で反射率に従って反射され再度液晶層１１４、偏光板１０８を透過して視認される。環境が暗い場合はバックライト装置１５０を点灯させるとバックライト装置１５０の出射光が偏光板１０８，液晶層１１４等を透過したのち半透過反射膜１１７の透過率に従って透過され再度液晶層１１４、偏光板１０８を透過して光線１５４として視認される。このように第１の表示部は半透過型液晶表示装置として機能する。
【００２８】
第２の表示部１０２は透過型カラータイプ液晶表示装置で、使用時には第１の表示部で用いるのと同じバックライト装置１５０を点灯させ、該バックライト光１５６が光源となって視認される。
【００２９】
図２の構成においては図１の構成に比べ、より第２の表示部１０２の輝度を上げることが可能である。
【００３０】
図２の構成においてはバックライト装置１５０を第１と第２の表示部１００，１０２で共用するという形で光源を結合したことにより、図５におけるプリント基板１６４の除去を可能としており、その結果両面表示タイプ液晶表示装置の薄型化に成功している。
【００３１】
図３は本発明のさらに他の実施例で図１、２と同様の機能の部材には同じ番号を付してある。　図３の構成が図２の構成と異なるのは、図１の第１の表示部が半透過反射膜１１７を備えていたのに対し、図３の構成では光を全反射する反射膜１１６を備えている点である。
【００３２】
図３において、第１の表示部１００に入射した外光１３６は偏光板１０８、液晶層１１４等を透過したのち反射膜１１６で反射され再度液晶層１１４、偏光板１０８を透過して視認される。このように第１の表示部１００は反射型液晶表示装置として機能する。
【００３３】
第２の表示部１０２は透過型カラータイプ液晶表示装置で、使用時にバックライト装置１５０を点灯させると、第２の表示部１０２方向へ散乱された光１５６はそのまま進んで第２の表示部１０２の光源となり、第１の表示部１００方向へ散乱された光１６２は第１の表示部１００の透明基板１１８を透過した後第１の表示部１００の反射膜１１６で反射されて第２の表示部１０２方向に進み光源となる。
【００３４】
このようにバックライト装置１５０の全出射光が第２の表示部１０２の光源として使われるため、図３の第２の表示部は、図２の構成に比べより輝度の高い表示が出来る。
【００３５】
また一般にバックライト装置は背面に反射フィルムを設ける必要があるが、図３の構成では第１の表示部１００の反射膜１１６を反射部材として使えるためコストダウン効果もある。
【００３６】
このように図３の構成でも第２の表示部１０２用のバックライト装置１５０が第１の表示部１００の反射膜１１６を利用するという形で光学的に光源が結合されている。また図２の構成と同様に図５におけるプリント基板１６４の除去を可能としており、その結果両面表示タイプ液晶表示装置の薄型化に成功している。
【００３７】
上記の実施例では、第１の表示部を白黒表示とし第２の表示部をカラー表示としたが、第１の表示部をカラー表示とし第２の表示部を白黒表示としても良く、あるいは第１の表示部をカラー表示とし第２の表示部をカラー表示としても良く、あるい第１の表示部を白黒表示とし第２の表示部を白黒表示としても良く、実施例と同様な効果を得ることができる。。
特に好ましいのは、反射表示を行わせる表示部はカラーフィルターによる光の損失のない白黒表示がよい。
【００３８】
第１の表示部を文字あるいは記号表示とさせて第２の表示を動画表示とさせた場合を実施したが、第１の表示部を動画とさせて第２の表示を文字あるいは記号表示とさせても良く、第１の表示部を動画とさせて第２の表示を動画としても良く、実施例と同様な効果を得ることができる。
【００３９】
また本発明はＳＴＮタイプの両面表示タイプ液晶装置、アクティブタイプの両面表示タイプ液晶装置、前記ＳＴＮタイプとアクティブタイプの両者の組み合わせによる両面表示タイプ液晶のすべてに対して実施例と同様な効果を得ることができる。
【００４０】
【発明の効果】
以上説明したように本発明によれば両面表示タイプの液晶表示装置の薄型化を得ることができる効果を有する。
この薄型化と共に、表示部を反射型としたことにより低消費電力なる効果が得られ、より携帯装置に適する装置が得られる効果を有する。
この薄型化と、反射による表示部を用いて低消費電力を得、さらにバックライトあるいはフロントライトにより明るい表示が得られ、暗い場所でも鮮明な表示が得られる効果を有するため、より携帯装置に適する装置が得られる効果を有する。
【図面の簡単な説明】
【図１】本発明による両面表示タイプ液晶表示装置の実施例の断面図である。
【図２】本発明による両面表示タイプ液晶表示装置の他の実施例の断面図である。
【図３】本発明による両面表示タイプ液晶表示装置のさらに他の実施例の断面図である。
【図４】表示部が枠の裏と表で見ることができる機器の断面図である。
【図５】従来の両面表示タイプ液晶表示装置の断面図である。
【符号の説明】
１００　第１の表示部
１０２　第２の表示部
１５０　バックライト装置
１１６　反射膜
【図１】
2004045727.tif 000003
【図２】
2004045727.tif 000004
【図３】
2004045727.tif 000005
【図４】
2004045727.tif 000006
【図５】
2004045727.tif 000007